(57)【要約】      （修正有）【課題】自分撮りを行って撮影された画像を画像処理により左右反転させた場合にも違和感のない画像とすることができる携帯端末用ケースおよび携帯物品を提供する。【解決手段】携帯端末１００を保護するケース本体２１０と、ケース本体２１０の外面に左右反転した状態で設けられている装飾部２４０とを備える携帯端末用ケース２００である。【選択図】図１
0003215164.tif 000002
【実用新案登録請求の範囲】
【請求項１】
携帯端末を保護するケース本体と、
前記ケース本体の外面に左右反転した状態で設けられている装飾部と
を備える携帯端末用ケース。
【請求項２】
前記外面は前記携帯端末の背面を覆う側の面である
請求項１に記載の携帯端末用ケース。
【請求項３】
前記装飾部は、文字列で構成されている
請求項１に記載の携帯端末用ケース。
【請求項４】
前記装飾部は、イラストで構成されている
請求項１に記載の携帯端末用ケース。
【請求項５】
前記装飾部は、前記ケース本体の形状で構成されている
請求項１に記載の携帯端末用ケース。
【請求項６】
前記装飾部は、文字列およびイラストで構成されている
請求項１に記載の携帯端末用ケース。
【請求項７】
外面に左右反転した状態で設けられている装飾部
を備える携帯物品。
【考案の詳細な説明】
【技術分野】
【０００１】
本考案は、携帯端末用ケースおよび携帯物品に関する。
【背景技術】
【０００２】
現在、スマートフォンなどのカメラ機能を備える携帯端末を用いて、ユーザが自分自身を被写体とする撮影方法、いわゆる自分撮り（自画撮り、自撮り、などとも称される。）が広く行われている。また、その自分撮り用の機能を備える撮像装置も提案されている（特許文献１参照）。
【先行技術文献】
【特許文献】
【０００３】
【特許文献１】特開２０１６−１２２９３０号公報
【考案の概要】
【考案が解決しようとする課題】
【０００４】
また、自分撮りで撮影された画像をインターネットにおけるInstagram（登録商標）など画像共有サイトやＳＮＳ（Social Networking Service）にアップロードする際に、撮影画像を左右反転させることが行われている。これは、左右反転させると撮影画像中の自分の顔が鏡に写った顔と同じになり違和感がなくなる、左右反転させると顔がより美しく見えるなどの理由により行われていると言われている。
【０００５】
しかし、撮影画像中に文字が写り込んでいる場合、撮影画像を左右反転させるとその文字が左右反転して読めないものとなり、撮影画像が左右反転させたものであることがひと目で判明してしまうという問題がある。
【０００６】
本考案の目的は、自分撮りを行って撮影された画像を画像処理により左右反転させた場合にも違和感のない画像とすることができる携帯端末用ケースおよび携帯物品を提供することにある。
【課題を解決するための手段】
【０００７】
上述した課題を解決するために、本考案は、携帯端末を保護するケース本体と、ケース本体の外面に左右反転した状態で設けられている装飾部とを備える携帯端末用ケースである。
【考案の効果】
【０００８】
本考案によれば、自分撮りを行って撮影された画像を画像処理により左右反転させた場合にも違和感のない画像とすることができる。
【図面の簡単な説明】
【０００９】
【図１】図１Ａは携帯端末の正面斜視図、図１Ｂは本考案の一実施形態に係る携帯端末用ケースおよび携帯端末の背面斜視図である。
【図２】ユーザが携帯端末用ケースを装着した携帯端末で自分撮りをする様子を示す図である。
【図３】図３Ａは、ユーザが携帯端末用ケースを装着した携帯端末で撮影した画像を示す図であり、図３Ｂは、図３Ａに示す画像を画像処理で左右反転させた状態を示す図である。
【図４】本考案に係る携帯端末用ケースと一般的な携帯端末用ケースとの比較を示す図である。
【図５】図５Ａは装飾部の他の例を示す図であり、図５Ｂは本考案の特徴を有するように構成した携帯物品の例を示す図である。
【図６】本考案の特徴を有する携帯物品と一般的な物品との比較を示す図である。
【考案を実施するための形態】
【００１０】
以下、本考案の一実施形態を図面に基づいて説明する。まず、携帯端末用ケース２００を装着する携帯端末１００の外観構成について説明する。
【００１１】
携帯端末１００はスマートフォンであり、その筐体１１０は、正面部１１１、背面部１１２、一対の側面部１１３、上面部１１４および下面部１１５とから略箱状に構成されている。筐体１１０内には、ロジックボード、ＬＳＩ（large-scale integrated circuit）、ＣＰＵ（Central Processing Unit）、メモリ、各種モジュール、バッテリー、カメラ、マイク、スピーカー、振動機構など（いずれも図示せず。）が内蔵されている。
【００１２】
正面部１１１にはホーム画面、アプリケーション、写真、動画、インターネットブラウザなどを表示するディスプレイ１１６が設けられている。ディスプレイ１１６は、ユーザの指、スタイラスなどを直接接触させることにより入力が可能なタッチスクリーンとして構成されている。また、正面部１１１には操作ボタン１１７が設けられている。操作ボタン１１７は例えば、携帯端末１００におけるディスプレイ１１６の表示画面をホーム画面に戻す指示を入力する場合に用いられるものである。なお、操作ボタン１１７は必須のものではなく、操作ボタン１１７を設けず、操作ボタン１１７への入力に対応する入力はタッチスクリーンとしてのディスプレイ１１６に対して行ってもよい。さらに正面部１１１にはインカメラ用レンズ１１８が設けられている。
【００１３】
背面部１１２には背面カメラ用レンズ１１９が設けられている。側面部１１３の一方には、携帯端末１００の電源をオン・オフするための電源ボタン１２０が設けられている。また、側面部１１３には、携帯端末１００で再生される音声の音量を調整するための音量調節ボタン１２１が設けられている。さらに、下面部１１５にはケーブルを接続するための端子（図示せず）が設けられている。なお、携帯端末１００が備えるボタンは電源ボタン１２０および音量調節ボタン１２１だけに限られず、その他の機能を備えるボタンであってもよい。また、ボタンは側面部１１３ではなく上面部１１４など他の面に設けられていてもよい。
【００１４】
携帯端末用ケース２００のケース本体２１０は、背面部２１１と、背面部２１１の四方から略垂直に立ち上がる側面部２１２、上面部２１３および下面部２１４とから、携帯端末１００の背面部１１２、側面部１１３、上面部１１４および下面部１１５を覆いつつ、正面部１１１を覆わないように一方の面が開口した箱状に構成されている。携帯端末用ケース２００は、ディスプレイ１１６が設けられている携帯端末１００の前面を開放した状態で装着することが可能となっている。
【００１５】
背面部２１１には、装着状態において携帯端末１００が備える背面カメラ用レンズ１１９を露出させるためのレンズ用窓２２０が形成されている。一方の側面部２１２には、携帯端末１００が備える電源ボタン１２０、音量調節ボタン１２１などを露出させるためのボタン用切り欠き２３０が形成されている。さらに、下面部２１４には端子を露出させるための端子用窓（図示せず）が形成されている。なお、レンズ用窓２２０は背面カメラ用レンズ１１９が露出すればよいため、切り欠き形状でもよい。操作ボタン用切り欠き２３０は操作ボタンが露出すればよいため窓形状でもよい。
【００１６】
携帯端末用ケース２００の外側の面のうち、背面部２１１には装飾部２４０としての文字列が描かれている。この文字列は、携帯端末用ケース２００のデザイン性を高めるため、メーカーの名前やイメージを見る者に印象づけるためなど種々の目的のために描かれているものである。
【００１７】
本実施の形態においては、この装飾部２４０としての文字列は、「HELLO」という言葉を左右反転させた状態で携帯端末用ケース２００の背面部２１１に描かれている。なお、文字列は「HELLO」に限らず、他の単語や文章であってもよいし、日本語など他の言語であってもよい。
【００１８】
装飾部２４０としての文字列を左右反転させていることにより、図２に示すように、ユーザ３００が携帯端末１００に携帯端末用ケース２００を装着した状態で鏡４００に写った自分を撮影すると図３Ａに示すように撮影画像において文字列は非反転状態となる。
【００１９】
そしてユーザ３００がＳＮＳなどにアップロードするために撮影画像を画像処理で左右反転させると、図３Ｂに示すように文字列は反転状態となる。
【００２０】
ここで、図４を参照して、本考案に係る装飾部２４０が反転状態である携帯端末用ケース２００を用いた場合と、比較例として文字列が非反転状態である携帯端末用ケース（一般的な携帯端末用ケース）を用いた場合の撮影画像の違いについて説明する。
【００２１】
一般的な携帯端末用ケースでは文字列は非反転となっている。そして、その一般的な携帯端末用ケースを装着した携帯端末で鏡４００に写った自分を撮影すると、撮影画像において文字列は反転状態となり、この撮影画像がＳＮＳなどにアップロードされる。
【００２２】
一方、本考案に係る携帯端末用ケース２００では装飾部２４０としての文字列が左右反転している。そして、その文字列が左右反転した携帯端末用ケース２００を装着した携帯端末１００で鏡４００に写った自分を撮影すると、撮影画像において文字列は非反転状態となる。
【００２３】
そして、文字列が非反転状態となっている撮影画像を画像処理で左右反転させると文字列は反転状態となり、この撮影画像がＳＮＳなどにアップロードされる。
【００２４】
一般的な携帯端末用ケースを用いた撮影画像をＳＮＳ等にアップロードする場合と、本考案の携帯端末用ケース２００を用いた撮影画像をＳＮＳ等にアップロード場合とを比較するとどちらも文字列は左右反転状態となっていて違いがないことがわかる。よって画像処理で左右反転させた撮影画像であっても、ＳＮＳなどにアップロード時には通常の携帯端末用ケース２００を用いた場合と同様になる。
【００２５】
これにより、画像処理で左右反転させた撮影画像をＳＮＳ等にアップロードしてもそれを見た他人はそれが画像処理で左右反転させた画像なのかを判別することができない。よって、携帯端末用ケース２００の描かれた文字列を見て、撮影画像が左右反転させたものであることが判明してしまうということがない。
【００２６】
なお、近年、Instagram（登録商標）などの画像共有サイトの利用者が増加しており、鏡に写った自分の全身写真、顔の写真をその画像共有サイトにアップロードするユーザが多い。通常の携帯端末用ケースの場合、鏡に写った自分を撮影すると撮影画像においてはその携帯端末用ケースに文字は反転して読めない状態となる。しかし、図２、図３を参照して説明したように本考案に係る携帯端末用ケース２００を使用すると、鏡に写った自分を撮影した画像においては携帯端末用ケース２００の文字が非反転状態で読めるようになっている。これは鏡に写った自分を撮影したにも関わらず、文字が反転せずに読める状態にあるという一見非現実的な撮影画像であるといえる。このような画像を画像共有サイトにアップロードすれば、目を引く、興味深い画像として画像共有サイトの利用者の注目を集めることもできると考えられる。
【００２７】
なお、本考案において携帯端末用ケース２００における装飾部２４０は文字列に限られない。図５Ａに示すようなキャラクタなどが描かれたイラストでもよい。また、装飾部２４０は文字列やキャラクタをケース本体に刻印したものであってもよい。さらに、装飾部２４０は文字列やキャラクタを表す立体的な飾りをケース本体取り付けたものであってもよい。
【００２８】
また、本考案は図１に示したような携帯端末用ケース２００以外にも携帯端末１００の正面と背面を覆い、使用時に正面側を開くいわゆる手帳型のケースなどにも適用可能である。さらに、ケース本体自体が文字や、キャラクタの形状であるような携帯端末用ケースにも適用可能である。この場合、ケース本体が文字やキャラクタが左右反転した外観形状を有するように構成する。
【００２９】
また、携帯端末はスマートフォンにかぎらず、携帯電話機、携帯ゲーム機、タブレット型端末などカメラ機能を備える端末機器であればどのようなものでもよい。
【００３０】
また、本考案における左右反転させた装飾部は、携帯端末用ケース以外のものにも適用可能である。例えば、図５Ｂに示すような手鏡５００や、うちわ、パーティグッズ、手帳、メモ帳、服、ポシェット、ポーチなど様々な携帯物品にも適用可能である。
【００３１】
このような携帯端末用ケース以外の携帯物品を手に持ってユーザ３００が自分撮りを行う場合も、上述した鏡４００に写った自分自身を撮影するのと同様にその携帯物品の装飾を左右反転させることにより携帯物品の描かれた装飾を見て、撮影画像が左右反転させたものであることが判明してしまうということがない。
【００３２】
また、このような携帯端末用ケース以外の携帯物品を手に持ってユーザ３００が自分撮りを行う場合、上述したような鏡４００に写った自分自身を撮影するのではなく、携帯端末１００のインカメラ用レンズ１１８を自分自身に向けて撮影するのが通常である。携帯端末１００のインカメラとは、図１に示すような背面カメラとは逆側の面である携帯端末１００のディスプレイ１１６側の面にレンズが設けられているカメラである。インカメラで自分撮りを行うことによりユーザ３００はディスプレイ１１６にモニタリング画像として表示される自分自身を確認しながら自分撮りを行うことができる。
【００３３】
このようにインカメラで自分撮りを行う場合は、鏡４００を使用していないので自分撮りで得られた撮影画像は左右反転していない。そしてユーザ３００が撮影後に行う画像処理のみが携帯物品の装飾を左右反転させることになる。よって、本考案によって携帯物品の装飾を予め左右反転させておくことにより、図６に示すようにユーザ３００が左右反転させてSNS等にアップロードする画像は、一般的な物品を用いて撮影した画像と同様に装飾が反転していない画像となる。これにより、左右反転させた撮影画像をＳＮＳなどにアップロードしてもそれを見た他人はそれが画像処理で左右反転させた画像なのかを判別することができない。よって、携帯物品の装飾を見て、撮影画像が左右反転させたものであることが判明してしまうということがない。
【００３４】
なお、携帯端末１００またはカメラ撮影用アプリケーションによっては、インカメラで撮影を行うと撮影画像を自動的に左右反転させる機能を備えている場合がある。そのような自動左右反転機能を備える場合には、ユーザ３００が意図しない左右反転処理によりユーザ３００が意識せずに左右反転した画像をSNS等にアップロードしてしまう場合がある。しかし、本考案の特徴を有する携帯物品を使用していれば、左右反転させた撮影画像をＳＮＳなどにアップロードしてもそれを見た他人はそれが画像処理で左右反転させた画像なのかを判別することができない。よって、携帯物品の装飾を見て、撮影画像が左右反転させたものであることが判明してしまうということがない。
【符号の説明】
【００３５】
１００・・・携帯端末
２００・・・携帯端末用ケース
２１０・・・ケース本体
２４０・・・装飾部
【図１】
0003215164.tif 000003
【図２】
0003215164.tif 000004
【図３】
0003215164.tif 000005
【図４】
0003215164.tif 000006
【図５】
0003215164.tif 000007
【図６】
0003215164.tif 000008